(57)【要約】  容器およびクロージャ装置を含むボトルを提供する。当該クロージャ装置は、容器を閉じるためのねじ切りされたキャップと、摺動可能な口とを含み、当該口は、当該口上の２つの封止要素によって容器からの流体の流路を開閉するためのものであり、当該クロージャ装置はさらに、口を通さずに空気を速やかに容器に入れることを可能にするための通気孔チェックバルブと、多層の保護カバー、より特定的には二層の保護カバーとを含む。当該保護カバーは、口を閉じた位置に導き、保護カバーから延びる突起によって通気孔チェックバルブを閉じることにより、漏れ防止を達成するためのものである。
2008540268.tif 000002
【特許請求の範囲】
【請求項１】
ボトルであって、
（ａ）容器と、
（ｂ）クロージャ装置とを含み、前記クロージャ装置は、
（ｉ）前記容器を閉じるためのねじ切りされたキャップと、
（ｉｉ）前記キャップを通る流路を規定する中空の中心管状要素とを含み、前記中心管状要素は３つの区域、すなわち、中間区域の横断寸法よりも大きな横断寸法を備えた上方区域の内側と、前記中間区域の横断寸法と同じ横断寸法に収容される前記上方区域の底部分の内側と、前記中間区域の横断寸法よりも大きな横断寸法を備えた下方区域の内側とを含み、前記クロージャ装置はさらに、
（ｉｉｉ）出口開口部を有する口を含み、前記口は、開いた位置と閉じた位置との間での軸に沿った摺動のために前記中心管状要素に挿入され、前記口は中空であり、上方区域および下方区域を含み、前記上方区域と前記下方区域との間に仕切りがあり、前記口はまた２つの封止要素を含み、前記第１の封止要素は前記上方区域の外面の周りに配置され、前記第２の封止要素は前記下方区域の外面の周りに配置され、前記上方区域の上部チャンバ部分は前記上方区域の下方部分の横断寸法よりも大きな横断寸法を備え、前記上方区域の底部は、前記外側区域の内面と前記下方区域の外面との間の空間に開口部を備え、前記下方区域の壁はまた前記第２の封止要素の下方に開口部を備え、前記下方区域の底部は環状フランジを備える、ボトル。
【請求項２】
前記口の前記上方区域の前記上部チャンバ部分の底部は、前記口を前記閉じた位置に保持するために前記中心管状要素の前記上方区域の横断寸法よりも大きな横断寸法を備える、請求項１に記載のボトル。
【請求項３】
前記中心管状要素の前記中間区域の底部は、前記口を前記開いた位置に保持するために前記口の下方区域の前記環状フランジの横断寸法よりも小さな横断寸法を備える、請求項１に記載のボトル。
【請求項４】
前記第１の封止要素は、前記中心管状要素の前記上方区域の内面と絶えず接触している、請求項１に記載のボトル。
【請求項５】
前記第２の封止要素は、前記口が前記閉じた位置にある場合、中心管状要素の前記中間区域の内面としか接触しない、請求項１に記載のボトル。
【請求項６】
管が収容され、前記口の前記上方区域に作動的に接続され、上部における前記管の内側の横断寸法が底部における前記管の横断寸法よりも小さい、請求項１に記載のボトル。
【請求項７】
ボトルであって、
（ａ）容器と、
（ｂ）クロージャ装置とを含み、前記クロージャ装置は、
（ｉ）前記容器を閉じるためのねじ切りされたキャップを含み、前記ねじ切りされたキャップは、前記ねじ切りされたキャップの中心の後方において前記ねじ切りされたキャップの表面の上方において系統的に位置する２つのピボットピンと、前記ねじ切りされたキャップの前記中心の前方において前記ねじ切りされたキャップの表面に位置する少なくとも１つのスナップロックと、通気孔チェックバルブに差込むための穴とを含み、前記クロージャ装置はさらに、
（ｉｉ）前記キャップを通る流路を規定する中空の中心管状要素を含み、前記中心管状要素は３つの区域、すなわち、中間区域の横断寸法よりも大きな横断寸法を備えた上方区域の内側と、前記中間区域の横断寸法と同じ横断寸法に収容される前記上方区域の底部
分の内側と、前記中間区域の横断寸法よりも大きな横断寸法を備えた下方区域の内側とを含み、前記クロージャ装置はさらに、
（ｉｉｉ）出口開口部を有する口を含み、前記口は、開いた位置と閉じた位置との間での軸に沿った摺動のために前記中心管状要素に挿入され、前記口は中空であり、上方区域および下方区域を含み、前記上方区域と前記下方区域との間に仕切りがあり、前記口はまた２つの封止要素を含み、前記第１の封止要素は前記上方区域の外面の周りに配置され、前記第２の封止要素は前記下方区域の外面の周りに配置され、前記上方区域の上部チャンバ部分は、前記上方区域の下方部分の横断寸法よりも大きな横断寸法を備え、前記上方区域の底部は、前記外側区域の内面と前記下方区域の外面との間における空間に開口部を備え、前記下方区域の壁はまた前記第２の封止要素の下方に開口部を備え、前記下方区域の底部は環状フランジを備え、前記クロージャ装置はさらに、
（ｉｖ）多層の保護カバーを含み、各層は湾曲した扇形であり、前記各層の頂端部の両側に２つのヒンジ穴を備え、最初の層は外側の上面に湾曲したプレートを備え、最後の層は裏側にプレートを備え、突起が前記最後の層の前記バックプレートの内面上にあり、少なくとも１つの窪みが、前記最初の層の内面において前記最初の層の前方の円弧の上方にある、ボトル。
【請求項８】
前記口の前記上方区域の前記上部チャンバ部分の底部は、前記口を前記閉じた位置に保持するために前記中心管状要素の前記上方区域の横断寸法よりも大きな横断寸法を備える、請求項７に記載のボトル。
【請求項９】
前記中心管状要素の前記中間区域の底部は、前記口を前記開いた位置に保持するために前記口の下方区域の前記環状フランジの横断寸法よりも小さな横断寸法を備える、請求項７に記載のボトル。
【請求項１０】
前記第１の封止要素は、前記中心管状要素の前記上方区域の内面と絶えず接触している、請求項７に記載のボトル。
【請求項１１】
前記第２の封止要素は、前記口が前記閉じた位置にある場合、中心管状要素の前記中間区域の内面としか接触しない、請求項７に記載のボトル。
【請求項１２】
前記多層のカバーは、口が閉じた位置にあることを確実にするために閉じた位置にある、請求項７に記載のボトル。
【請求項１３】
前記多層のカバーは、前記通気孔チェックバルブの開口部が前記最後の層の前記バックプレート上の前記突起によって閉じられることを確実にするために閉じた位置にある、請求項７に記載のボトル。
【請求項１４】
管が収容され、前記口の前記上方区域に作動的に接続されており、上部における前記管の内側の横断寸法は底部における前記管の横断寸法よりも小さい、請求項７に記載のボトル。
【請求項１５】
ボトルであって、
（ａ）容器と、
（ｂ）クロージャ装置とを含み、前記クロージャ装置は、
（ｉ）前記容器を閉じるための、中心において隆起したプラットフォームを備えたねじ切りされたキャップと、
（ｉｉ）前記プラットフォームの上部において、前記キャップを通る流路を規定する中空の中心管状要素とを含み、前記中心管状要素は３つの区域、すなわち、中間区域の横断寸法よりも大きな横断寸法を備えた上方区域の内側と、前記中間区域の横断寸法と同じ
横断寸法に収容される前記上方区域の底部分の内側と、前記中間区域の横断寸法よりも大きな横断寸法を備えた下方区域の内側とを含み、前記クロージャ装置はさらに、
（iii）出口開口部を有する口を含み、前記口は、開いた位置と閉じた位置との間での軸に沿った摺動のために前記中心管状要素に挿入され、前記口は中空であり、上方区域および下方区域を含み、前記上方区域と前記下方区域との間に仕切りがあり、前記口はまた２つの封止要素を含み、前記第１の封止要素は前記上方区域の外面の周りに配置され、前記第２の封止要素は前記下方区域の外面の周りに配置され、前記上方区域の上部チャンバ部分は、前記上方区域の下方部分の横断寸法よりも大きな横断寸法を備え、前記上方区域の底部は、前記外側区域の内面と前記下方区域の外面との間における空間に開口部を備え、前記下方区域の壁はまた前記第２の封止要素の下方に開口部を備え、前記下方区域の底部は環状フランジを備える、ボトル。
【請求項１６】
前記口の前記上方区域の前記上部チャンバ部分の底部は、前記口を前記閉じた位置に保持するために前記中心管状要素の前記上方区域の横断寸法よりも大きな横断寸法を備える、請求項１５に記載のボトル。
【請求項１７】
前記中心管状要素の前記中間区域の底部は、前記口を前記開いた位置に保持するために前記口の下方区域の前記環状フランジの横断寸法よりも小さな横断寸法を備える、請求項１５に記載のボトル。
【請求項１８】
前記第１の封止要素は、前記中心管状要素の前記上方区域の内面と絶えず接触している、請求項１５に記載のボトル。
【請求項１９】
前記第２の封止要素は、前記口が前記閉じた位置にある場合、中心管状要素の前記中間区域の内面としか接触しない、請求項１５に記載のボトル。
【請求項２０】
前記中心管状要素の前記下方区域および前記口の前記下方区域はともに、前記ねじ切りされたキャップの表面の上方にある、請求項１５に記載のボトル。
【請求項２１】
管が収容され、前記口の前記上方区域に作動的に接続され、上部における前記管の内側の横断寸法が底部における前記管の横断寸法よりも小さい、請求項１５に記載のボトル。
【請求項２２】
ボトルであって、
（ａ）容器と、
（ｂ）クロージャ装置とを含み、前記クロージャ装置は、
（ｉ）前記容器を閉じるための、中心において隆起したプラットフォームを備えたねじ切りされたキャップを含み、前記ねじ切りされたキャップは、前記ねじ切りされたキャップの中心の後方において前記ねじ切りされたキャップの表面の上方において系統的に位置する２つのピボットピンと、前記ねじ切りされたキャップの前記中心の前方において前記ねじ切りされたキャップの表面に位置する少なくとも１つのスナップロックと、通気孔チェックバルブに差込むための穴とを含み、前記クロージャ装置はさらに、
（ｉｉ）前記プラットフォームの上部において、前記キャップを通る流路を規定する中空の中心管状要素を含み、前記中心管状要素は３つの区域、すなわち、中間区域の横断寸法よりも大きな横断寸法を備えた上方区域の内側と、前記中間区域の横断寸法と同じ横断寸法に収容される前記上方区域の底部分の内側と、前記中間区域の横断寸法よりも大きな横断寸法を備えた下方区域の内側とを含み、前記クロージャ装置はさらに、
（ｉｉｉ）出口開口部を有する口を含み、前記口は、開いた位置と閉じた位置との間での軸に沿った摺動のために前記中心管状要素に挿入され、前記口は中空であり、上方区域および下方区域を含み、前記上方区域と前記下方区域との間に仕切りがあり、前記口はまた２つの封止要素を含み、前記第１の封止要素は前記上方区域の外面の周りに配置され
、前記第２の封止要素は前記下方区域の外面の周りに配置され、前記上方区域の上部チャンバ部分は、前記上方区域の下方部分の横断寸法よりも大きな横断寸法を備え、前記上方区域の底部は、前記外側区域の内面と前記下方区域の外面との間における空間に開口部を備え、前記下方区域の壁はまた前記第２の封止要素の下方に開口部を備え、前記下方区域の底部は環状フランジを備え、前記クロージャ装置はさらに、
（ｉｖ）多層の保護カバーを含み、各層は湾曲した扇形であり、前記各層の頂端部の両側に２つのヒンジ穴を備え、最初の層は外側の上面に湾曲したプレートを備え、最後の層は裏側にプレートを備え、突起が前記最後の層の前記バックプレートの内面上にあり、少なくとも１つの窪みが、前記最初の層の内面において前記最初の層の前方の円弧の上方にある、ボトル。
【請求項２３】
前記口の前記上方区域の前記上部チャンバ部分の底部は、前記口を前記閉じた位置に保持するために前記中心管状要素の前記上方区域の横断寸法よりも大きな横断寸法を備える、請求項２２に記載のボトル。
【請求項２４】
前記中心管状要素の前記中間区域の底部は、前記口を前記開いた位置に保持するために前記口の下方区域の前記環状フランジの横断寸法よりも小さな横断寸法を備える、請求項２２に記載のボトル。
【請求項２５】
前記第１の封止要素は、前記中心管状要素の前記上方区域の内面と絶えず接触している、請求項２２に記載のボトル。
【請求項２６】
前記第２の封止要素は、前記口が前記閉じた位置にある場合、中心管状要素の前記中間区域の内面としか接触しない、請求項２２に記載のボトル。
【請求項２７】
前記多層のカバーは、前記口が閉じた位置にあることを確実にするために閉じた位置にある、請求項２２に記載のボトル。
【請求項２８】
前記多層のカバーは、前記通気孔チェックバルブの開口部が前記最後の層の前記バックプレート上の前記突起によって閉じられることを確実にするために閉じた位置にある、請求項２２に記載のボトル。
【請求項２９】
前記中心管状要素の前記下方区域および前記口の前記下方区域はともに、前記ねじ切りされたキャップの表面の上方にある、請求項２２に記載のボトル。
【請求項３０】
管が収容され、前記口の前記上方区域に作動的に接続され、上部における前記管の内側の横断寸法が底部における前記管の横断寸法よりも小さい、請求項２２に記載のボトル。
【請求項３１】
ボトルであって、
（ａ）容器と、
（ｂ）クロージャ装置とを含み、前記クロージャ装置は、
（ｉ）前記容器を閉じるためのねじ切りされたキャップを含み、前記ねじ切りされたキャップは、前記ねじ切りされたキャップの中心の後方において前記ねじ切りされたキャップの表面の上方において系統的に位置する２つのピボットピンと、前記ねじ切りされたキャップの前記中心の前方において前記ねじ切りされたキャップの表面に位置する少なくとも１つのスナップロックとを含み、前記クロージャ装置はさらに、
（ii）前記キャップを通る流路を規定する開口部と、
（iii）多層の保護カバーとを含み、各層は湾曲した扇形であり、前記各層の頂端部の両側に２つのヒンジ穴を備え、最初の層は外側の上面に湾曲したプレートを備え、最後の層は裏側にプレートを備え、突起が前記最後の層の前記バックプレートの内面上にあり
、少なくとも１つの窪みが、前記最初の層の内面において前記最初の層の前方の円弧の上方にある、ボトル。
【請求項３２】
前記多層の保護カバーは、前記開口部が覆われることを確実にするために閉じた位置にある、請求項３１に記載のボトル。
【請求項３３】
前記多層のカバーは二層の保護カバーである、請求項７に記載のボトル。
【請求項３４】
前記多層の保護カバーは二層の保護カバーである、請求項２２に記載のボトル。
【請求項３５】
前記多層の保護カバーは二層の保護カバーである、請求項３１に記載のボトル。
【請求項３６】
コイルばねが、前記開いた位置において前記口を勢いよく持上げるために、前記中心管状要素の前記上方区域内に配置される、請求項１に記載のボトル。
【請求項３７】
コイルばねが、前記開いた位置において前記口を勢いよく持上げるために、前記中心管状要素の前記上方区域内に配置される、請求項７に記載のボトル。
【請求項３８】
コイルばねが、前記開いた位置において前記口を勢いよく持上げるために、前記中心管状要素の前記上方区域内に配置される、請求項１５に記載のボトル。
【請求項３９】
コイルばねが、前記開いた位置において前記口を勢いよく持上げるために、前記中心管状要素の前記上方区域内に配置される、請求項２２に記載のボトル。
【請求項４０】
ボトルであって、
（ａ）容器と、
（ｂ）クロージャ装置とを含み、前記クロージャ装置は、
（ｉ）前記容器を閉じるためのねじ切りされたキャップと、
（ii）出口開口部を有し、前記ねじ切りされたキャップの上部に配置される口とを含む、ボトル。
【請求項４１】
手動ポンプが、空気を前記容器に注入し、前記口を通じて前記容器内の流体を前記容器から押し出すために、前記容器上に配置される、請求項４０に記載のボトル。
【請求項４２】
ボトルであって、
（ａ）折り畳み可能な基部を備えた容器と、
（ｂ）クロージャ装置とを含み、前記クロージャ装置は、
（ｉ）前記容器を閉じるためのねじ切りされたキャップと、
（ii）出口開口部を有し、前記ねじ切りされたキャップの上部に配置される口とを含む、ボトル。
【請求項４３】
前記容器は、空気を前記容器に注入し、前記口を通じて前記容器内の流体を前記容器から押し出すために、前記折り畳み可能な基部を引くことによって伸ばされる、請求項４２に記載のボトル。
【請求項４４】
手動ポンプは、空気を前記容器に注入し、前記口を通じて前記容器内の流体を前記容器から押し出すために、前記容器上に配置される、請求項４２に記載のボトル。
【請求項４５】
手動ポンプは前記容器上に配置され、前記容器は、空気を前記容器に注入するために、前記折り畳み可能な基部を引くことによって伸ばされる、請求項４２に記載のボトル。
【発明の詳細な説明】
【技術分野】
【０００１】
発明の分野
この発明は、概して、流体を収容し、開閉が容易な多層の保護カバーを含む屋外用のボトルの分野に関し、より特定的には、二層の保護カバーと、通気孔チェックバルブを備えた漏れ防止のプッシュプル式クロージャ装置とに関する。
【背景技術】
【０００２】
発明の背景
屋外用の従来のボトルは、通常、保護カバーを備えており、この保護カバーは、ねじ切りされたキャップと同じ寸法で一体的に設計されている。先行技術のこの一体型の保護カバーの設計では片手での開閉が困難である。この一般的なタイプの保護カバーのいくつかの例が、米国特許第５，６０３，４３６号および第５，０９４，３６３号に見出される。
【発明の開示】
【発明が解決しようとする課題】
【０００３】
手間のかからない別のプッシュプル式の口設計もまた、ボトルの共通の特徴である。この一般的なタイプのプッシュプル式の口設計のいくつかの例が、米国特許第３，７３８，５４５号、第５，１００，０３３号および第５，０９４，３６３号に見出される。これらの過去の設計の多くは操作が難しく、および／または、充分に漏れが防止されない。
【０００４】
別の通気孔チェックバルブ設計では、水を処理したり除去したりする際にボトル内の圧力を均等にするために水処理ユニットを通過させなくても空気をボトルに速やかに入れることができる。これはまた、当該ボトルの共通の特徴である。しかしながら、通気孔チェックバルブからの漏れが頻繁に起ってしまう。
【０００５】
したがって、先行技術のボトルに付随する欠点のないボトルを設計することが有利である。
【課題を解決するための手段】
【０００６】
発明の概要
この発明は多層の保護カバーを提供し、より特定的には、ねじ切りされたキャップよりも寸法が小さく、片手で容易に開閉可能な二層の保護カバーを提供する。たとえば、競輪選手はしばしばボトルを片手で使用する必要がある。
【０００７】
プッシュプル式の口設計であるこの発明は、操作の容易性および充分な漏れ防止保護の両方を提供する。
【０００８】
通気孔チェックバルブ設計であるこの発明は、多層の保護カバー、より特定的には二層の保護カバーが閉じた位置にあるとき、上方の保護カバーから延在する突起によって通気孔チェックバルブが常に確実に閉じられることを可能にする。
【０００９】
この発明の主要な一局面は、ねじ切りされたキャップよりも寸法が小さく、片手で容易に開閉できる多層の保護カバー、より特定的には二層の保護カバーを提供する。
【００１０】
この発明の別の主要な局面は、偶発的に口が開くことによる流体の漏れを防止するために、摺動可能な口が常に閉じた位置に保持されることを確実にするための、多層の保護カバー、より特定的には二層の保護カバーの上方の保護カバーを提供する。
【００１１】
この発明のさらに別の主要な局面は通気孔チェックバルブを提供する。当該通気孔チェックバルブは、当該通気孔チェックバルブが偶発的に開くことによる流体の漏れを防止するために、多層の保護カバー、より特定的には二層の保護カバーが閉じた位置にあるとき、上方の保護カバーから延在する突起によって常に閉じられる。
【００１２】
この発明のさらに別の主要な局面は、容器からの流路を開いたり閉じたりするための２つの封止要素を含む口を提供する。
【００１３】
この発明の一局面に従うと、当該発明は、（ａ）容器と（ｂ）クロージャ装置とを含むボトルを提供する。当該クロージャ装置は、（ｉ）容器を閉じるためのねじ切りされたキャップと、（ii）当該キャップを通る流路を規定する中空の中心管状要素とを含み、当該中心管状要素は３つの区域、すなわち、中間区域の横断寸法よりも大きな横断寸法を備えた上方区域の内側と、中間区域の横断寸法と同じ横断寸法に収容される上方区域の底部分の内側と、中間区域の横断寸法よりも大きな横断寸法を備えた下方区域の内側とを含み、当該クロージャ装置はさらに、（iii）出口開口部を有する口を含み、当該口は、開いた位置と閉じた位置との間での軸に沿った摺動のために中心管状要素に挿入される。当該口は中空であり、上方区域および下方区域を含み、当該上方区域と当該下方区域との間には仕切りがある。当該口はまた２つの封止要素を含み、第１の封止要素は上方区域の外面の周りに配置され、第２の封止要素は下方区域の外面の周りに配置されている。上方区域の上部チャンバ部分は上方区域の下方部分の横断寸法よりも大きな横断寸法を備え、上方区域の底部は、外側区域の内面と下方区域の外面との間の空間に開口部を備え、下方区域の壁はまた、第２の封止要素の下方に開口部を備え、下方区域の底部は環状フランジを備える。
【００１４】
この発明の別の局面に従うと、当該発明は、発明となる多層のカバーを提供し、各層は湾曲した扇形であり、各層の頂端部の両側に２つのヒンジ穴を備え、最初の層は外側の上面に湾曲したプレートを備え、最後の層は裏側にプレートを備え、突起が最後の層のバックプレートの内面上にあり、少なくとも１つの窪みが最初の層の内面において最初の層の前方の円弧の上方にある。
【００１５】
この発明の利点および特徴は、添付の図面に関連してその現在好ましい実施例の以下の説明を参照するとより明らかになるだろう。同様の参照番号が同様の要素に適用されている。
【発明を実施するための最良の形態】
【００１６】
好ましい実施例の詳細な説明
図１を参照すると、ボトル９０は、液体を収容するのに用いられる容器８０を閉じるためのクロージャ装置４０を含む。クロージャ装置４０は、ねじ切りされたキャップ３０、口５０、通気孔チェックバルブ１００、および二層の保護カバー１０を含む。口５０がプッシュプル式の接続でねじ切りされたキャップ３０の中空の中心管状要素３３の上方区域に挿入されると、当該口５０は、以下にさらに詳細に記載されるように、ねじ切りされたキャップ３０に対して開いた位置に上昇し、閉じた位置に下降することが可能となる。好ましくは、ねじ切りされたキャップ３０は、容器８０を閉じるための、中心において隆起したプラットフォームを有する。より好ましくは、ねじ切りされたキャップ３０は、当該ねじ切りされたキャップ３０の中心後方において、ねじ切りされたキャップ３０の表面上方に系統的に位置する２つのピボットピン３１ａおよび３１ｂを含む。加えて、左側および／または右側のスナップロック３６ａおよび／または３６ｂなどの少なくとも１つのスナップロックは、ねじ切りされたキャップ３０の表面上においてねじ切りされたキャップ３０の中心前方に位置しており、通気孔チェックバルブ１００に差込むための穴３８がと
もに中心プラットフォームに位置している（以下の説明を参照）。
【００１７】
口５０は、容器８０から流体を排出するための上方の出口開口部５２を含む。二層の保護カバー１０は、上方の保護カバー１１および下方の保護カバー１２を含む。舌状のハンドル１３を下方の保護カバー１２に設けることにより、ユーザが指を用いて、以下に記載される二層の保護カバー１０を開閉することが可能となる。
【００１８】
この発明は、多層の保護カバー、より特定的には二層の保護カバーを開示する。各層は湾曲した扇形であり、各層の頂端部の両側に２つのヒンジ穴を備え、最初の層は外側の上面に湾曲したプレートを備え、最後の層は裏側にプレートを備える。突起が最後の層のバックプレートの内面から延在し、最初の層の内面において最初の層の前方の円弧の上方に少なくとも１つの窪みが位置している。
【００１９】
好ましい実施例においては、図２に図示のとおり、二層の保護カバー１０は、ヒンジ穴２３ａおよび２３ｂを備えた上方の保護カバー１１と、ヒンジ穴２１ａおよび２１ｂを備えた下方の保護カバー１２とを備え、これらは、ねじ切りされたキャップ３０の上部上において隆起した中心プラットフォーム４１のピボットピン３１ａおよび３１ｂを介して回動可能である。舌状のハンドル１３を下方の保護カバー１２上に設けることにより、それぞれ図３および図４に図示のとおり、ユーザが指を用いて二層の保護カバー１０を開いた位置または閉じた位置に動かすことが可能となる。図３に図示のとおり、二層の保護カバー１０および口５０は開いた位置にある。ユーザは指を用いて、以下のとおり、下方の保護カバー１２に設けられた舌状のハンドル１３を上方に動かすことにより二層の保護カバー１０を閉じることができる。すなわち、始めに、下方の保護カバー１２の前方端部１８がマウスピース６５の上面５１に接触するまで、当該下方の保護カバー１２が上に動かされ、次に、マウスピース６５の底部５３が中心管状要素３３の上方区域の上部に載るまで、当該下方の保護カバー１２が、上方の保護カバー１１の内面２５によって口５０を閉じた位置へと連続的に押下げる。同時に、下方の保護カバー１２の左側のストッパ１４ａおよび右側のストッパ１４ｂが上方の保護カバー１１の左側のストッパ１５ａおよび右側のストッパ１５ｂにそれぞれ接触して、下方の保護カバー１２および上方の保護カバー１１をともに閉じた位置へと連続的に上昇させる。上方の保護カバー１１のバックプレート２０は、ねじ切りされたキャップ３０の中心プラットフォーム４１の上部上におけるストッパプレート３２によって止められる。加えて、下方の保護カバー１２の左側の窪み１６ａおよび右側の窪み１６ｂが、それぞれ、ねじ切りされたキャップ３０の左側のスナップロック３６ａおよび右側のスナップロック３６ｂ（図２を参照）に動かされることにより、口５０および二層の保護カバー１０がともに（図４に示される）閉じた位置にくることと、中心プラットフォーム４１の穴３８上の通気孔チェックバルブ１００の開口部１０１がまた、図２および図５に図示のとおり、上方の保護カバー１１から延在する突起４９によって閉じられることとが確実にされる。
【００２０】
図５は、閉じた位置にある二層の保護カバー１０および口５０を示す。ユーザは、指を用いて、以下のとおり、下方の保護カバー１２のハンドル１３を下方に動かすことにより二層の保護カバーを開くことができる。すなわち、始めに、下方の保護カバー１２および上方の保護カバー１１がともに開いた位置に来るまで、下方の保護カバー１２が連続的に上方に動かされ、続いて上方の保護カバー１１が上方に動かされる。これは、口５０が閉じた位置にとどまることを除いては、図３に図示のとおりである。
【００２１】
図３に図示のとおり、二層の保護カバー１０および口５０はともに開いた位置にある。口５０の環状フランジ６２の大きさが口５０の下方区域５５の上部分３９よりも大きいために、口５０がねじ切りされたキャップ３０の中心管状要素３３の上方区域から出てくるのが防止される。
【００２２】
ねじ切りされたキャップ３０を通る流体の流路がここで説明される。開いた中空の中心管状要素が流路を規定する。中心管状要素は３つの区域、すなわち、（ｉ）中間区域３４の横断寸法よりも大きな横断寸法を備えた上方区域３３の内側、（ii）中間区域３４の横断寸法と同じ横断寸法に収容される上方区域３３の底部分の内側、および、（ｉｉｉ）中間区域３４の横断寸法よりも大きな横断寸法を有する下方区域３５の内側を含む。この固有の設計により、一方では滑らかな流体の流路が確保され、他方では偶発的な流体の漏れが防止される。
【００２３】
先に述べたように、図３は、出口開口部５２を有する口５０を示す。当該口５０は、開いた位置と閉じた位置との間での軸に沿った摺動のために中心管状要素３３、３４および３５に挿入される。口５０は中空であり、上方区域５４および下方区域５５を含み、当該上方区域５４と下方区域５５との間には仕切りがある。
【００２４】
口５０はまた、Ｏリングの形状の２つの封止要素を含む。第１の封止要素、すなわちＯリング５６は、口５０の上方区域５４の外面の周りに配置される。第２の封止要素、すなわちＯリング５７は、口５０の下方区域５５の外面の周りに配置される。Ｏリング５６は常に、ねじ切りされたキャップ３０上のプラットフォーム４１の上部上に位置する中心管状要素３３の上方区域の内面と絶えず接触しており、結果として、流体が口５０の内側だけを通って流れることが可能となる。上方区域の底部は、口５０の外側区域の内面と下方区域５５の外面との間の空間に開口部を備える。口５０の下方区域の壁はまた、第２の封止要素、すなわちＯリング５７の下方に開口部を備え、下方区域の底部は環状フランジ６２を備える。ボトル９０がひっくり返されると、流体が口５０の下方の入り口５８を通って口５０に流れ込み、次いで、口５０の下方区域５５のチャンバ５５ａに流れ込み、さらに、口５０の上方区域と下方区域との間にある仕切りに位置する複数の穴５９ａ、５９ｂ、５９ｃおよび５９ｄを通って中心管状要素３３の上方区域のチャンバ３３ａに流れ込み、次いで、口５０の下方区域の壁に位置する複数の穴６１ａ、６１ｂ、６１ｃおよび６１ｄを通って口５０の上方区域５４のチャンバ５４ａに流れ込み、最終的に、口５０の上方の出口開口部５２を通ってボトル９０から出て行く。図６は、穴５９ａ、５９ｂ、５９ｃ、５９ｄ、６１ａ、６１ｂ、６１ｃおよび６１ｄの詳細な位置を示す。
【００２５】
図３を参照すると、口５０が開いた位置にある場合、第２の封止要素、すなわちＯリング５７は、容器からの流路を開くために中心管状要素の内面に接触することなく、上方の中心管状要素３３の内部に位置決めされる。しかしながら、二層の保護カバー１０および口５０がともに（図４に示されるように）閉じた位置にあり、ボトル９０がひっくり返された状態であれば、流体の流路がＯリング５７によって遮られる。この閉じた位置では、Ｏリング５７は口５０の下方区域５５の外面に配置され、当該Ｏリング５７は、容器からの流路を閉じるために、ねじ切りされたキャップ３０上のプラットフォーム４１の表面とちょうど水平に位置する中心管状要素３４の中間区域の内面としか接触しない。漏れ防止のために口５０に軸圧縮を加える必要はない。Ｏリング５７の中心が中心管状要素３４の中間区域の内面内にある限り、漏れの防止は保証される。
【００２６】
加えて、管の形を取る口インサート７０は、口５０の上方区域５４に収容され、作動的にこれに接続される。上部における口インサート７０の内側の横断寸法は、底部における横断寸法よりも小さい。この特有の設計により、口インサート７０が口５０の上方の出口開口部５２の断面積を低減させることが可能となる。流体に表面張力があるので、口５０が閉じた位置にきた後に口５０の上方区域５４のチャンバ５４ａ内にとどまる流体は、いかなる状況でも滴り落ちることはないだろう。
【００２７】
口５０を閉じた位置に保持するために、この発明の設計では、口５０の上方区域５４ａ
の上部チャンバ部分の底部は中心管状要素３３の上方区域の横断寸法よりも大きな横断寸法を有している。同様に、口５０を開いた位置に保持するために、この発明の設計では、中心管状要素３４の中間区域の底部は口５０の下方区域の環状フランジ６２の横断寸法よりも小さな横断寸法を有している。
【００２８】
図８を参照すると、好ましくは、ねじ切りされたキャップ３０は隆起したプラットフォーム４１を有しており、これにより、摺動可能な口５０の下方区域５５および中心管状要素３５の下方区域がともにねじ切りされたキャップ３０の底面３７の十分に上方に位置することが確実となる。こうして、オプションの水処理ユニット８１が、ねじ切りされたキャップ３０と容器８０の開口部との間に挿入され得る。
【００２９】
ボトル９０は２つの方法のうちどちらかで使用可能である。まず第一に、ユーザはボトルをひっくり返し、容器から流体を吸い込むことができる。代替的には、ユーザは、ねじ切りされたキャップ上の下方の中心管状要素に接続され容器の底部に至る柔軟な管８２を用いて、ボトルを実質的に垂直な位置にした状態で容器から流体を吸い込むことができる。図９を参照すると、柔軟な管８２の一方端は中心管状要素３５の下方区域に接続され、他方端は容器８０の底部に接触している。柔軟な管８２は、ユーザが、ボトル９０を垂直な位置にした状態で容器から流体を吸い込むことを可能にする。
【００３０】
随意には、図１０に図示のとおり、柔軟な管８２の一方端が中心管状要素３５の下方区域に接続され、他方端が容器８０の底部に位置している水処理ユニット８３に接続されており、これにより、ユーザが、ボトル９０を垂直な位置にした状態で容器から流体を吸い込むことが可能となる。
【００３１】
図１１を参照すると、コイルばね１０１が上述の中心管状要素３３の上方区域内に配置され、二層の保護カバー１０が閉じた位置にある。
【００３２】
図１２を参照すると、口５０は、二層の保護カバー１０が開いた位置にあるときは常に勢いよく持ち上がる。
【００３３】
図１３を参照すると、手動ポンプ１４０が容器１４５に一体化されている。
図１４を参照すると、チェックバルブ１００に差込むための穴１４１を備えた環状の窪み１４３が容器１４５上に設けられている。手動ポンプ１４０が環状の窪み１４３に嵌め込まれ、穴１４４が手動ポンプ１４０上に配置される。手動ポンプ１４０は正常位置にある。
【００３４】
図１５を参照すると、手動ポンプ１４０が押され、穴１４４が指で覆われている。こうして、空気をチャンバ１４２からチェックバルブ１００を通じて容器１４５に注入し、容器１４５内の流体を口５０を通じて容器１４５から押出す。図１４および図１５に示される口は二層の保護カバーを備えているが、これが出口開口部を有する単純な口にも適用可能であり、ねじ切りされたキャップの上部に配置されることが理解されるだろう。
【００３５】
図１６を参照すると、手動ポンプ１４０が一体化されている折り畳み可能な基部１４６を備えた容器が示される。折り畳み可能な基部１４６を備えた容器は正常位置にあり、ハウジング１４７の内部に位置している。
【００３６】
図１７を参照すると、折り畳み可能な基部１４６を備えた容器は、当該折り畳み可能な基部１４６を備えた容器の基部１４９を引くことによって引伸ばされて、空気をチェックバルブ１００を通じて折り畳み可能な基部１４６を備えた容器に注入し、折り畳み可能な基部１４６を備えた容器内の流体をフィルタ１４８および口５０を通じて折り畳み可能な
基部１４６を備えた容器から押出す。ボトルは、フィルタにかけられた流体を集めるために、逆さにしてハウジング１４７の上部に配置される。図１６および図１７に示される口は二層の保護カバーを備えているが、これが出口開口部を有する単純な口にも適用可能であり、ねじ切りされたキャップの上部に配置されることが理解されるだろう。
【００３７】
ここで説明してきたこの発明の好ましい実施例が単にこの発明の原理を例示しているに過ぎないことも理解されるだろう。この発明の真の精神および範囲から逸脱することなく、当業者によって多くの変更がなされ得る。
【図面の簡単な説明】
【００３８】
【図１】この発明に従って構築されたボトルの正面図である。
【図２】ねじ切りされたキャップ、通気孔チェックバルブ、口および二層の保護カバーを含む、図１のクロージャ装置の好ましい実施例を示す分解図である。
【図３】二層の保護カバーおよび口が閉じた位置にある図２の断面図である。
【図４】二層の保護カバーおよび口が開いた位置にある図２の断面図である。
【図５】閉じた位置にある上方の保護カバーの突起によって通気孔チェックバルブが閉じられている図２の断面図である。
【図６】口の正面図である。
【図７】ひっくり返して、水処理ユニットのない容器から流体を吸込むのに適したボトルの断面図である。
【図８】ひっくり返して、水処理ユニットを備えた容器から流体を吸込むのに適したボトルの断面図である。
【図９】垂直位置にある状態で、水処理ユニットのない容器から流体を吸込む目的に適したボトルを示す断面図である。
【図１０】垂直位置にある状態で、水処理ユニットを備えた容器から流体を吸込む目的に適したボトルを示す断面図である。
【図１１】二層の保護カバーおよび口が閉じた位置にある、コイルばねを備えたクロージャ装置を示す断面図である。
【図１２】二層の保護カバーおよび口が開いた位置にある、コイルばねを備えたクロージャ装置を示す断面図である。
【図１３】手動ポンプを備えたボトルの好ましい実施例を示す図である。
【図１４】手動ポンプが正常位置にあるボトルを示す断面図である。
【図１５】手動ポンプが押された位置にあるボトルを示す断面図である。
【図１６】折り畳み可能な基部を備えた容器が正常位置にあるボトルを示す断面図である。
【図１７】折り畳み可能な基部を備えた容器が引伸ばされた位置にあるボトルを示す断面図である。
【図１】
2008540268.tif 000003
【図２】
2008540268.tif 000004
【図３】
2008540268.tif 000005
【図４】
2008540268.tif 000006
【図５】
2008540268.tif 000007
【図６】
2008540268.tif 000008
【図７】
2008540268.tif 000009
【図８】
2008540268.tif 000010
【図９】
2008540268.tif 000011
【図１０】
2008540268.tif 000012
【図１１】
2008540268.tif 000013
【図１２】
2008540268.tif 000014
【図１３】
2008540268.tif 000015
【図１４】
2008540268.tif 000016
【図１５】
2008540268.tif 000017
【図１６】
2008540268.tif 000018
【図１７】
2008540268.tif 000019
【国際調査報告】
2008540268.tif 000020
2008540268.tif 000021
2008540268.tif 000022
2008540268.tif 000023